(57)【要約】【課題】フレキシブルプリント配線板の形状や引き出し位置が異なるモデルでもフレームを共用化（共通化）することによって製造コストを下げることができる液晶モジュールを提供する。【解決手段】光反射シート２と、側端面に光源８を配設した導光板３と、光拡散シート４と、プリズムシート５と、液晶パネル６を積み重ねて方形枠状のフレーム１内に収容した液晶モジュールにおいて、フレーム１の一辺に、フレキシブルプリント配線板１０，１１を引き出すための主引出部１ｂと二つの副引出部１ｃ，１ｄを形成する。例えば、光源用のフレキシブルプリント配線板１０の形状や引き出し位置が異なるモデルでも、フレーム１を共用して、フレキシブルプリント配線板１０の引き出し位置に対応するいずれか一方の副引出部１ｃ又は１ｄから引き出すことができるので、製造コストを下げることができる。【選択図】図２
0003129206.tif 000002
【実用新案登録請求の範囲】
【請求項１】
光反射シートと、側端面に光源を配設した導光板と、光拡散シートと、プリズムシートと、液晶パネルを積み重ねて方形枠状のフレーム内に収容した液晶モジュールにおいて、
上記フレームの一辺に、フレキシブルプリント配線板を引き出すための主引出部と二つの副引出部を、一方の副引出部が主引出部と一体となるように形成し、上記液晶パネルに接続されたメインのフレキシブルプリント配線板を主引出部から引き出すと共に、主引出部と一体に形成された副引出部から上記光源用のフレキシブルプリント配線板を引き出してメインのフレキシブルプリント配線板に接続したことを特徴とする液晶モジュール。
【請求項２】
光反射シートと、側端面に光源を配設した導光板と、光拡散シートと、プリズムシートと、液晶パネルを積み重ねて方形枠状のフレーム内に収容した液晶モジュールにおいて、
上記フレームの一辺に、フレキシブルプリント配線板を引き出すための主引出部と二つの副引出部を形成したことを特徴とする液晶モジュール。
【請求項３】
上記主引出部から、上記液晶パネルに接続されたメインのフレキシブルプリント配線板を引き出し、いずれか一方の上記副引出部から、上記光源用のフレキシブルプリント配線板を引き出したことを特徴とする請求項２に記載の液晶モジュール。
【請求項４】
上記主引出部に一方の上記副引出部を一体に形成したことを特徴とする請求項２又は請求項３に記載の液晶モジュール。
【考案の詳細な説明】
【技術分野】
【０００１】
本考案は液晶モジュールに関し、特に、フレキシブルプリント配線板の形状や引き出し位置が異なる場合でも共通のフレームを使用してコストダウンを図れるようにした液晶モジュールに関する。
【背景技術】
【０００２】
従来より、光反射シートと、側端面に光源を配設した導光板と、光拡散シートと、プリズムシートと、液晶パネルを積み重ねて方形枠状のフレーム内に収容した液晶モジュールが知られている。このような液晶モジュールは、光源用のフレキシブルプリント配線板や、液晶パネルに接続されたメインのフレキシブルプリント配線板の形状、引き出し位置などがモデル毎に異なる場合、モデル毎に専用の引出部を有するフレームを作成して組み立てていたため、コスト高になるという問題があった。
【０００３】
一方、配線基板を第一裏面側外枠と第二裏面側外枠の間から第二裏面側外枠の表面に沿って引き出し、配線基板の端子部を第二裏面側外枠から外側へ引き出すことによって、第一及び第二の裏面側外枠を形状を変えることなく、配線基板の形状を変えるだけで、配線基板の端子部を任意の場所で外部へ突出させることができるようにし、配線基板の接続に関して汎用性をもたせた液晶表示装置が知られている（特許文献１）。
【０００４】
また、液晶パネルに接続されるＦＰＣを、メインＦＰＣとＩ／Ｆ用ＦＰＣに分割して、メインＦＰＣを共用し、搭載される電子機器の仕様に応じてＩ／Ｆ用ＦＰＣを変更するようにした電子機器（特許文献２）や、一つのＦＰＣを主表示部と副表示部が共有するようにした表示装置（特許文献３）も知られている。
【特許文献１】特開２００６−１３９０２０号公報
【特許文献２】特開２００５−２９２２８４号公報
【特許文献３】特開２００６−１１４４１号公報
【考案の開示】
【考案が解決しようとする課題】
【０００５】
しかしながら、特許文献１の液晶表示装置は、第一裏面側外枠と第二裏面側外枠の間から第二裏面側外枠の表面に沿って配線基板を引き出すという特殊な引き出し方を採用し、配線基板の形状を変えることによって、第一及び第二の裏面側外枠を形状を変えないで共用するようにしたものであり、このような技術は、反射シート、導光板、光拡散シート、プリズムシート、液晶パネルを積み重ねて方形枠状のフレームに収容した従来の液晶モジュールには適用の余地がないので、この技術によって従来の液晶モジュールのフレームの共用化（共通化）を図ることはできない。
【０００６】
また、特許文献２の電子機器は、液晶パネルに接続されるＦＰＣをメインＦＰＣとＩ／Ｆ用ＦＰＣに分割してメインＦＰＣの共用化を図るもので、フレームの共用化（共通化）を図るものではなく、特許文献３の表示装置もフレームの共用化を図るものではない。
【０００７】
本考案は上記事情の下になされたものであって、その解決しようとする課題は、フレキシブルプリント配線板の形状や引き出し位置が異なるモデルでもフレームを共用化（共通化）することによって製造コストを下げることができる液晶モジュールを提供することにある。
【課題を解決するための手段】
【０００８】
上記課題を解決するため、本考案に係る液晶モジュールは、光反射シートと、側端面に光源を配設した導光板と、光拡散シートと、プリズムシートと、液晶パネルを積み重ねて方形枠状のフレーム内に収容した液晶モジュールにおいて、上記フレームの一辺に、フレキシブルプリント配線板を引き出すための主引出部と二つの副引出部を形成したことを特徴とするものである。
【０００９】
本考案の液晶モジュールにおいては、主引出部から、液晶パネルに接続されたメインのフレキシブルプリント配線板を引き出し、いずれか一方の副引出部から、光源用のフレキシブルプリント配線板を引き出すことが好ましい。また、主引出部に一方の副引出部を一体に形成することが好ましい。
【００１０】
そして、本考案の更に具体的な液晶モジュールは、光反射シートと、側端面に光源を取付けた導光板と、光拡散シートと、プリズムシートと、液晶パネルを積み重ねて方形枠状のフレーム内に収容した液晶モジュールにおいて、上記フレームの一辺に、フレキシブルプリント配線板を引き出すための主引出部と二つの副引出部を、一方の副引出部が主引出部と一体となるように形成し、上記液晶パネルに接続されたメインのフレキシブルプリント配線板を主引出部から引き出すと共に、主引出部と一体に形成された副引出部から上記光源用のフレキシブルプリント配線板を引き出してメインのフレキシブルプリント配線板に接続したことを特徴とするものである。
【考案の効果】
【００１１】
本考案に係る液晶モジュールのように、フレームの一辺に、フレキシブルプリント配線板を引き出すための主引出部と二つの副引出部が形成されていると、メインのフレキシブルプリント配線板を主引出部から引き出し、サブのフレキシブルプリント配線板をいずれか一方の副引出部から引き出すことができる。
【００１２】
従って、例えば、液晶パネルに接続されたメインのフレキシブルプリント配線板の引き出し位置がほぼ同じであって、光源用のフレキシブルプリント配線板の引き出し位置が異なる二種類の液晶モジュールを製造する場合は、この主引出部と二つの副引出部が形成されたフレームを共用して、メインのフレキシブルプリント配線板を主引出部から引き出し、引き出し位置が異なる光源用のフレキシブルプリント配線板を、それぞれの引き出し位置に対応した一方の副引出部から引き出すことによって、専用のフレームを使用する場合よりも遥かに安価に製造することができる。
【００１３】
また、主引出部に一方の副引出部が一体に形成されていると、メインのフレキシブルプリント配線板を主引出部から引き出し、この主引出部と一体に形成された副引出部から光源用のフレキシブルプリント配線板をメインのフレキシブルプリント配線板の裏側に重ねて引き出すことができる。従って、更に具体的な液晶モジュールのように光源用のフレキシブルプリント配線板をメインのフレキシブルプリント配線板に接続して一つにまとめることができる。
【考案を実施するための最良の形態】
【００１４】
以下、図面を参照して本考案の具体的な実施形態を詳述する。
【００１５】
図１は本考案の一実施形態に係る液晶モジュールＡの平面図、図２は同液晶モジュールＡの分解斜視図、図３は本考案の他の実施形態に係る液晶モジュールＢの平面図、図４は同液晶モジュールＢの分解斜視図である。
【００１６】
図１，図２に示す液晶モジュールＡは、方形枠状の合成樹脂製のフレーム１の内側に、光反射率の高い反射シート２と、透明性に優れた合成樹脂製の導光板３と、光拡散シート４と、２枚のプリズムシート５，５と、液晶パネル６を積み重ねて収容すると共に、その上から方形枠状の金属製のベゼル７を外嵌合させ、フレーム１の側面に形成されたそれぞれの係合爪１ａをベゼル７の側面に形成されたそれぞれの被係合口７ａに係合して、分離しないように一体に組立てたものである。
【００１７】
この液晶モジュールＡの導光板３の一端沿いには、光源として複数（２つ）のＬＥＤ８が配設され、反射テープ９で取付固定されている。そして、ＬＥＤ８と反射テープ９の上にＬＥＤ用のフレキシブルプリント配線板１０が重ねられ、このフレキシブルプリント配線板１０にＬＥＤ８が導電性接着剤等で接続固定されている。尚、ＬＥＤ用のフレキシブルプリント配線板１０と、液晶パネル６に接続されたメインのフレキシブルプリント配線板１１の外部への引き出しについては、後で説明する。
【００１８】
この液晶モジュールＡのプリズムシート５と液晶パネル６との間には、プリズムシート５と液晶パネル６の接触を防止するスペーサー１２ａ，１２ｂが介装されており、液晶パネル６とベゼル７との間にはマスキングテープ１３が介装されている。また、液晶パネル６とメインのフレキシブルプリント配線板１１との接続部分は、絶縁テープ１４で覆われている。
【００１９】
この液晶モジュールＡは、フレーム１に大きい特徴を有している。即ち、この方形枠状のフレーム１は、図２に示すように、ＬＥＤ配設側の一辺に、液晶パネル６に接続されたメインのフレキシブルプリント配線板１１を外部に引き出す幅広凹状の主引出部１ｂと、形状及び引き出し位置が異なる二種類のＬＥＤ用のフレキシブルプリント配線板をそれぞれ外部に引き出す二つの幅狭凹状の副引出部１ｃ，１ｄが形成されており、一方の副引出部１ｄは主引出部１ｂよりも一段低くなるように主引出部１ｂと一体に形成されている。そして、主引出部１ｂは、メインのフレキシブルプリント配線板１１の形状や引き出し位置が多少異なっていても引き出すことができるように、その幅寸法がフレキシブルプリント配線板１１の幅寸法よりも少し大きく設定されている。
【００２０】
一方、この液晶モジュールＡのベゼル７の一辺には、フレーム１の主引出部１ｂに対応する切欠部７ｂと、副引出部１ｃに対応する切欠部７ｃが形成されており、このベゼル７をフレーム１に外嵌合させると、主引出部１ｂと切欠部７ｂによってメインのフレキシブルプリント配線板１１を引き出す開口が形成されると共に、副引出部１ｃと切欠部７ｃによってＬＥＤ用のフレキシブルプリント配線板を引き出す開口が形成されるようになっている。
【００２１】
この液晶モジュールＡは、ＬＥＤ用のフレキシブルプリント配線板１０の引出片１０ａが片側に偏位して形成されているため、この引出片１０ａに対応したフレーム１の片側の副引出部１ｃからＬＥＤ用フレキシブルプリント配線板１０の引出片１０ａが外部に引き出されており、液晶パネル６に接続されたメインのフレキシブルプリント配線板１１はフレーム１の主引出部１ｂから外部へ引き出されている。
【００２２】
一方、図３，図４に示す液晶モジュールＢは、上記のフレーム１を共用したものであって、液晶パネル６に接続されたメインのフレキシブルプリント配線板１１０は、長くて前記のフレキシブルプリント配線板１１と異なる形状を有するけれども、その引き出し位置がほぼ同じであるので、フレーム１の主引出部１ｂから外部へ引き出されている。しかし、ＬＥＤ用のフレキシブルプリント配線板１００は、その形状及び引き出し位置が前記のＬＥＤ用フレキシブルプリント配線板１０と異なり、引出片１００ａがほぼ中央に形成されているため、この引出片１００ａに対応するフレーム１の副引出部１ｄから、ＬＥＤ用フレキシブルプリント配線板１００の引出片１００ａをメインのフレキシブルプリント配線板１１０の裏側に重ねて外部に引き出している。
【００２３】
そして、この引出片１００ａの先端の端子部に半田をつけてメインのフレキシブルプリント配線板１１０に熱圧着して接続固定することにより、フレキシブルプリント配線板を一つにまとめて、液晶表示装置本体の配線基板への接続を簡素化している。尚、引出片１００ａの接続固定部分は、耐熱絶縁性のカバーテープ１５で被覆されている。
【００２４】
この液晶モジュールＢの他の構成は、前述した液晶モジュールＡと同様であるので、図３，図４において同一部材に同一符号を付し、説明を省略する。
【００２５】
以上のような液晶モジュールＡ，Ｂは、ＬＥＤ８から導光板３に入射した光が直接或いは裏面の反射シート２で反射されて導光板３の表面（出射面）から出射され、光拡散シート４を通って拡散されながら、更にプリズムシート５，５で指向性が高められて、液晶パネル６を背面から照明するため、液晶パネル６の表示面を鮮明に視認することができる。しかも、これらの液晶モジュールＡ，Ｂは、ＬＥＤ用のフレキシブルプリント配線板１０，１００の形状や引き出し位置が異なる別モデルであるにも拘わらず、主引出部１ｂと二つの副引出部１ｃ，１ｄを設けたフレーム１を共用して組み立てることができるため、従来のようにモデルごとに専用のフレームを使用して組み立てる場合に比べると、製造コストを大幅に低減させることが可能となり、また、従来のように異なるモデルごとに専用のフレームを分別する面倒さを回避することもできる。
【図面の簡単な説明】
【００２６】
【図１】本考案の一実施形態に係る液晶モジュールの平面図である。
【図２】同液晶モジュールの分解斜視図である。
【図３】本考案の他の実施形態に係る液晶モジュールの平面図である。
【図４】同液晶モジュールの分解斜視図である。
【符号の説明】
【００２７】
１    フレーム
１ｂ  主引出部
１ｃ，１ｄ  副引出部
２    反射シート
３    導光板
４    光拡散シート
５    プリズムシート
６    液晶パネル
７    ベゼル
８    光源（ＬＥＤ）
１０，１００  光源用（ＬＥＤ用）のフレキシブルプリント配線板
１０ａ，１００ａ  引出片
１１，１１０  メインのフレキシブルプリント配線板
【図１】
0003129206.tif 000003
【図２】
0003129206.tif 000004
【図３】
0003129206.tif 000005
【図４】
0003129206.tif 000006